(57)【要約】本発明は、埃等の異物が浮遊した一般的な室内環境中で手作業によって貼り付けた場合であっても貼り付け面に異物及び気泡が侵入することを防止できる、一般的なユーザーにとって利用しやすい積層フィルム、及び、それを用いたフィルム貼り付け方法を提供する。本発明は、第一の表面保護フィルムと、異物除去用粘着層と、異物除去用フィルムと、一体化用粘着層と、第二の表面保護フィルムと、基材貼り付け用粘着層と、機能性フィルムと、を順に有し、上記基材貼り付け用粘着層は、上記第二の表面保護フィルムとの接合強度よりも上記機能性フィルムとの接合強度が強い積層フィルムである。
2015125811.tif 000002
【特許請求の範囲】
【請求項１】
第一の表面保護フィルムと、
異物除去用粘着層と、
異物除去用フィルムと、
一体化用粘着層と、
第二の表面保護フィルムと、
基材貼り付け用粘着層と、
機能性フィルムと、を順に有し、
前記基材貼り付け用粘着層は、前記第二の表面保護フィルムとの接合強度よりも前記機能性フィルムとの接合強度が強い
ことを特徴とする積層フィルム。
【請求項２】
第一の表面保護フィルムと、
異物除去用粘着層と、
異物除去用フィルムと、
一体化用粘着層と、
第二の表面保護フィルムと、
基材貼り付け用粘着層と、
機能性フィルムと、を順に有し、
前記基材貼り付け用粘着層の粘着力は、前記異物除去用粘着層の粘着力及び前記一体化用粘着層の粘着力よりも強力である
ことを特徴とする積層フィルム。
【請求項３】
前記第二の表面保護フィルムは、前記基材貼り付け用粘着層と接する界面に、粘着力を低下させる表面処理がなされていることを特徴とする請求項１又は２記載の積層フィルム。
【請求項４】
前記異物除去用フィルム及び前記第二の表面保護フィルムの少なくとも一方は、着色されていることを特徴とする請求項１〜３のいずれかに記載の積層フィルム。
【請求項５】
前記異物除去用フィルム及び前記第二の表面保護フィルムの少なくとも一方は、本体部、及び、引っ張り用延伸部を有し、該引っ張り用延伸部には開口部が形成されていることを特徴とする請求項１〜４のいずれかに記載の積層フィルム。
【請求項６】
前記機能性フィルムは、光学フィルムであることを特徴とする請求項１〜５のいずれかに記載の積層フィルム。
【請求項７】
前記機能性フィルムは、保護フィルムであることを特徴とする請求項１〜５のいずれかに記載の積層フィルム。
【請求項８】
前記積層フィルムは、更に、前記機能性フィルムの前記基材貼り付け用粘着層と接する側とは反対側に、緩衝層を有することを特徴とする請求項１〜７のいずれかに記載の積層フィルム。
【請求項９】
請求項１〜８のいずれかに記載の積層フィルムに設けられた機能性フィルムを、基材に対して貼り付けるフィルム貼り付け方法であって、
下記（１）〜（５）の手順を含むことを特徴とするフィルム貼り付け方法。
（１）前記積層フィルムから前記第一の表面保護フィルムを剥離し、前記異物除去用粘着層を露出させる
（２）露出した前記異物除去用粘着層を前記基材の表面に密着させ、前記基材に対して前記積層フィルムを貼り付ける
（３）前記基材の前記積層フィルムが貼り付けられた領域の近傍と、前記積層フィルムの最上部の前記機能性フィルムの端部とを接続部材で接続する
（４）前記接続部材によって前記基材と前記機能性フィルムとを接続したまま、前記一体化用粘着層を、前記異物除去用フィルムから剥離する
（５）前記基材の表面から前記異物除去用粘着層を剥離しつつ、前記第二の表面保護フィルムと前記基材貼り付け用粘着層とを剥離し、前記基材の表面及び前記基材貼り付け用粘着層を露出させ、露出した前記基板の表面及び前記基材貼り付け用粘着層を露出後直ちに密着させることによって、前記基材に対して前記機能性フィルムを貼り付ける
【請求項１０】
前記手順（５）において、前記異物除去用粘着層及び前記第二の表面保護フィルムの剥離は、前記異物除去用フィルム及び前記第二の表面保護フィルムを巻き取りローラーにより巻き取ることによって行われ、かつ前記基材貼り付け用粘着層の密着は、貼り付けローラーにより押し当てることによって行われることを特徴とする請求項９記載のフィルム貼り付け方法。
【請求項１１】
前記異物除去用フィルム及び前記第二の表面保護フィルムの巻き取り速度は、前記機能性フィルムの貼り付け速度と同じ、又は、より速いことを特徴とする請求項１０記載のフィルム貼り付け方法。
【請求項１２】
前記異物除去用フィルム及び前記第二の表面保護フィルムは、同じ方向に、同じ速度で引っ張られることを特徴とする請求項１０又は１１記載のフィルム貼り付け方法。
【請求項１３】
前記異物除去用フィルム及び前記第二の表面保護フィルムは、剥離時に一体化されることを特徴とする請求項１２記載のフィルム貼り付け方法。
【請求項１４】
前記異物除去用フィルムと前記第二の表面保護フィルムとは、一方のフィルムに形成されたスリットに、他方のフィルムを差し込むことによって一体化されることを特徴とする請求項１３記載のフィルム貼り付け方法。
【請求項１５】
前記異物除去用フィルムと前記第二の表面保護フィルムとは、粘着層を介した貼り合わせによって一体化されることを特徴とする請求項１３記載のフィルム貼り付け方法。
【請求項１６】
前記異物除去用フィルムと前記第二の表面保護フィルムとは、各々のフィルムの対応する位置に形成された開口に、引き出し棒の鉤部を引っ掛けることによって一体化されることを特徴とする請求項１３記載のフィルム貼り付け方法。
【請求項１７】
前記手順（５）において、先端に粘着部材が取り付けられた引き出し棒を用いることを特徴とする請求項９〜１６のいずれかに記載のフィルム貼り付け方法。
【請求項１８】
前記手順（５）において、先端に鉤部が設けられた引き出し棒を用いることを特徴とする請求項９〜１６のいずれかに記載のフィルム貼り付け方法。
【請求項１９】
前記基材は、曲面形状を有するものであり、
前記手順（２）において、円柱形状を有する支持ドラム上に前記基材を配置し、前記支持ドラムに対向して配置された貼り合わせローラーと前記支持ドラムとの間に、前記積層フィルムを通過させることよって、前記基材に対して前記積層フィルムを貼り付けることを特徴とする請求項９〜１８のいずれかに記載のフィルム貼り付け方法。
【発明の詳細な説明】
【技術分野】
【０００１】
本発明は、積層フィルム及びフィルム貼り付け方法に関する。より詳しくは、携帯電話、タブレット型ＰＣ等のモバイル表示装置の表面への貼り付けに好適な積層フィルム、及び、そのような積層フィルムを家庭、量販店等のクリーンルーム内ではない環境のユーザーサイドで貼り付けるのに好適なフィルム貼り付け方法に関するものである。
【背景技術】
【０００２】
携帯電話、タブレットＰＣ等のモバイル表示装置は、ぶつけたり、引っかいたりして、その表面にダメージが加わりやすいため、従来、ユーザー自らが手作業によってモバイル表示装置の表面に保護フィルムを貼り付けることが一般的に行われている。このように、ユーザー自らがフィルムを製品に貼り付ける場合には、クリーンルーム中や真空中のような管理された環境ではない一般的な室内環境において、フィルムの貼り付け作業が行われる。しかしながら、一般的な室内環境では、製品とフィルムとの間に異物及び気泡が入りこむことを充分に防止しつつ、手作業によってフィルムの貼り付けを行うことは困難であった。【０００３】
手作業で実施可能であり、かつ一般的な室内環境においても異物及び気泡の侵入防止が可能なフィルムの貼り付け方法としては、石鹸水を使用して、フィルムの貼り付け位置の制御、及び、気泡の除去を実施した後、風乾する方法がある。この方法は、プロのフィルム貼り職人が、店のロゴや宣伝材料を印刷したフィルムをガラス窓に貼り付ける場合等に利用され、貼り付け位置の微調整が可能である等の利点がある。しかしながら、この方法は、石鹸水を用いる、風乾に時間がかかる等の点で、一般的なユーザーには利用しづらい不便なものであった。また、気泡の除去は充分に行えるものの、異物の侵入防止において改善の余地があった。【０００４】
因みに、工場内でフィルムを製品に貼り付ける状況を主に想定したものであれば、異物や気泡が貼り付け面に入りこむことを防止するための種々の処理方法及び装置が知られている。一般的な方法としては、クリーンルーム中、又は、真空中で貼り付けが行う方法が挙げられる（例えば、特許文献１参照。）。例えば、液晶パネルの実装工程では、大規模なクリーン設備が導入されている。【０００５】
また、特許文献２には、室温より高い温度の液体を供給し、液晶パネル表面の異物や汚れを除去する方法が開示されている。特許文献３には、異物清掃ローラーによって、偏光板を貼り付ける前の液晶パネル本体の表面を自動清掃する貼り付け装置が開示されている。【０００６】
更に、異物を粘着層に吸着させて除去する方法も知られている。特許文献４には、半導体ウエハ、ガラス基板等の表面に付着した異物を粘着層面に吸着させて除去する異物除去用粘着テープが開示されている。特許文献５には、搬送部材に貼り合わされて用いられる異物除去シートであって、異物除去層の表面を保護するためのセパレーターが、粘着層によって異物除去層に貼り付けられたものが開示されている。【０００７】
なお、フィルムを貼り付けるときに周囲に存在する異物が貼り付け面に侵入することを防止するものではないが、特許文献６には、貼り付け前に除去される剥離層を液状の樹脂剤を塗布・固化してなるものとすることによって、製造過程で貼り付け用の層に付着した異物を除去できる画面保護シートが開示されている。この画面保護シートは、貼り付け対象となる画面上の異物を除去する機能は有していない。【０００８】
同様に、フィルムを貼り付けるときに周囲に存在する異物が貼り付け面に侵入することを防止するものではないが、特許文献４、５に記載された異物除去用の粘着テープ又はシートに類似した構成を有する積層構造体が特許文献７に開示されている。すなわち、特許文献７には、パターン層フィルムの一方の面に粘着層を介して長尺体が貼り付けられ、他方の面に粘着層を介して剥離フィルムが貼り付けられたパターン構造層付き長尺体が開示されている。
【先行技術文献】
【特許文献】
【０００９】
【特許文献１】特開平７−３１８９１９号公報
【特許文献２】特開２０１０−２８６６６４号公報
【特許文献３】特開平８−５０２９０号公報
【特許文献４】特開平８−２７４０５８号公報
【特許文献５】特開２００６−１８６０２６号公報
【特許文献６】特開２００６−１１９１８６号公報
【特許文献７】特開２０１２−２１８３５３号公報
【発明の概要】
【発明が解決しようとする課題】
【００１０】
以上で述べたように、従来では、異物及び気泡の侵入防止が可能なフィルムの貼り付け方法としては、一般的なユーザーにとって利用しやすく、充分な効果が得られるものが存在しなかった。例えば、石鹸水を使用してフィルムを貼り付ける方法では、フィルムを貼り付ける前の状態で、フィルムが貼り付けられる面、及び、フィルムの粘着面がいずれも、一般的な室内環境中に露出されるため、それらの面に異物が付着してしまう。したがって、石鹸水を使用してフィルムを貼り付ける方法では、異物の侵入をより充分に防止できるようにする余地があった。【００１１】
また、特許文献１の技術では、真空チャンバが用いられる。特許文献２の技術では、室温より高い温度の液体が用いられる。特許文献３の技術では、貼り付け装置による処理の自動化を前提としている。特許文献４、５には、異物除去用の粘着テープ又はシートによって異物を除去することが開示されているだけであり、異物除去用の粘着テープ又はシートを剥がした後に、異物及び気泡の侵入を防止しつつ、製品にフィルムを貼り付ける方法までは開示していない。特許文献６、７の技術は、いずれもフィルムを貼り付けるときに周囲に存在する異物が貼り付け面に侵入することを防止するものではない。【００１２】
ここで、本発明の原理を説明するための前提として、図３６を参照して、一般的な室内環境において、異物除去機能を有しない従来の積層フィルムを貼り付けたときに、製品とフィルムとの間に異物及び気泡が侵入してしまう理由を説明する。【００１３】
図３６は、従来の積層フィルムの貼り付け方法を示した断面模式図である。以下、図３６に基づき、従来の積層フィルムの貼り合わせの手順を説明する。図３６の（ａ）は、積層フィルムを貼り付ける前の基材１００の状態を示している。クリーンルーム中や真空中のような管理された環境ではない一般的な室内環境中には、埃等の微小な異物２００が多数浮遊している。このため、基材１００の表面には異物２００が付着している。たとえ積層フィルムの貼り付け前に基材１００の表面を清掃した場合であっても、清掃完了から貼り合わせまでに時間間隔があると、一般的な室内環境下では基材１００の表面に異物２００が再び付着することを避けることは困難である。この点について、上述した異物除去用の粘着テープ又はシートによって異物を除去する方法には、対策が開示されていなかった。【００１４】
図３６の（ｂ）は、貼り付け前の従来の積層フィルムの位置合わせの様子を示している。図３６の（ｂ）に示した従来の積層フィルムは、光学フィルム２１７の下面に、粘着層２１６を介してセパレーターフィルム２１１が配置された構成を有している。【００１５】
次に、図３６の（ｃ）に示したように、セパレーターフィルム２１１を剥離し、粘着層２１６を露出させる。粘着層２１６の表面は弱粘着性を示すので、室内環境中に浮遊している異物２００が付着しやすい。【００１６】
そして、図３６の（ｄ）に示したように、貼り合わせローラー２４１によって粘着層２１６を基材１００の表面に密着させることによって、光学フィルム２１７が基材１００に貼り合わされる。このとき、基材１００や粘着層２１６の表面に異物２００が付着していると、基材１００と光学フィルム２１７の間に異物２００が入り込んでしまうことになる。また、基材１００と光学フィルム２１７の間に気泡が入り込むこともあり得る。基材１００が表示装置の画面である場合には、気泡が入り込んだ部分が白い点として見えたり、異物が入り込んだ部分がレンズとして働くことがあるため、表示装置の画面表示が見にくくなってしまう。このため、一般的な室内環境下でも異物や気泡が入り込むことを防止できる積層フィルムの貼り付け方法が求められていた。【００１７】
本発明は、上記現状に鑑みてなされたものであり、埃等の異物が浮遊した一般的な室内環境中で手作業によって貼り付けた場合であっても貼り付け面に異物及び気泡が侵入することを防止できる、一般的なユーザーにとって利用しやすい積層フィルム、及び、それを用いたフィルム貼り付け方法を提供することを目的とするものである。
【課題を解決するための手段】
【００１８】
本発明者は、貼り付け時に特別な環境管理や設備を必要とせず、一般的な室内環境中で手作業によって貼り付けた場合であっても異物及び気泡の侵入を防止できる機能性フィルム及びフィルム貼り付け方法について種々検討した結果、一般的な室内環境では、空気中に埃等の異物が多数浮遊しており、機能性フィルムを貼り付ける対象である基材上の異物を一旦除去したとしても、機能性フィルムを貼り付ける直前まで基材上及び機能性フィルムの粘着面に異物が付着することに着目した。そこで、本発明者は、基材上の清掃を行うことができる異物除去フィルムを組み込んだ積層フィルムであれば、機能性フィルムの貼り付け直前に基材上の異物を除去し、その後直ちに機能性フィルムを貼り付けることができることを見出した。また、積層フィルムから異物除去フィルムを剥離した後の機能性フィルムの表面を保護できる表面保護フィルムを追加して設けることによって、機能性フィルムの貼り付け面に異物が侵入することをより効果的に防止できることを見出した。更に、貼り付け方法を工夫することによって、機能性フィルムの粘着面に異物が付着することについても効果的に防止できることを見出した。以上のようにして、本発明者は、上記課題をみごとに解決することができることに想到し、本発明に到達した。【００１９】
すなわち、本発明の一態様は、第一の表面保護フィルムと、異物除去用粘着層と、異物除去用フィルムと、一体化用粘着層と、第二の表面保護フィルムと、基材貼り付け用粘着層と、機能性フィルムと、を順に有し、上記基材貼り付け用粘着層は、上記第二の表面保護フィルムとの接合強度よりも上記機能性フィルムとの接合強度が強い積層フィルムであってもよい。【００２０】
本発明の別の一態様は、第一の表面保護フィルムと、異物除去用粘着層と、異物除去用フィルムと、一体化用粘着層と、第二の表面保護フィルムと、基材貼り付け用粘着層と、機能性フィルムと、を順に有し、上記基材貼り付け用粘着層の粘着力は、上記異物除去用粘着層の粘着力及び上記一体化用粘着層の粘着力よりも強力である積層フィルムであってもよい。【００２１】
本発明の更に別の一態様は、本発明の積層フィルムに設けられた機能性フィルムを、基材に対して貼り付けるフィルム貼り付け方法であって、下記（１）〜（５）の手順を含むフィルム貼り付け方法であってもよい。
（１）上記積層フィルムから上記第一の表面保護フィルムを剥離し、上記異物除去用粘着層を露出させる
（２）露出した上記異物除去用粘着層を上記基材の表面に密着させ、上記基材に対して上記積層フィルムを貼り付ける
（３）上記基材の上記積層フィルムが貼り付けられた領域の近傍と、上記積層フィルムの最上部の上記機能性フィルムの端部とを接続部材で接続する
（４）上記接続部材によって上記基材と上記機能性フィルムとを接続したまま、上記一体化用粘着層を、上記異物除去用フィルムから剥離する
（５）上記基材の表面から上記異物除去用粘着層を剥離しつつ、上記第二の表面保護フィルムと上記基材貼り付け用粘着層とを剥離し、上記基材の表面及び上記基材貼り付け用粘着層を露出させ、露出した上記基板の表面及び上記基材貼り付け用粘着層を露出後直ちに密着させることによって、上記基材に対して上記機能性フィルムを貼り付ける
【発明の効果】
【００２２】
本発明の積層フィルムによれば、基材上に埃等の異物が存在している場合であっても、機能性フィルムの貼り付け直前に基材上の異物を除去し、その後直ちに機能性フィルムを貼り付けることができるので、貼り合わせの界面に異物や気泡が入り込むことを充分に防止できる。また、貼り合わせの際に特別な環境管理や設備を必要とせず、液体も使用しないので、一般的なユーザーにとって利用しやすい。【００２３】
また、本発明のフィルム貼り付け方法は、本発明の積層フィルムを用いることによって、一般的な室内環境中であっても、異物や気泡が貼り合わせ界面に混入することなく、機能性フィルムを基材に貼り付けることができる。また、従来の石鹸水を用いる貼り合わせ方法とは異なり、液体を使用しない乾式の貼り合せ方法であるので、作業時間を大幅に短縮でき、周辺を汚すことなく作業できる。
【図面の簡単な説明】
【００２４】
【図１】実施形態１に係る積層フィルムを示した断面模式図である。
【図２】実施形態１に係る積層フィルムを基材上に貼り付ける方法を説明するための断面模式図である。
【図３】実施形態１に係る積層フィルムの第一の中間製造物の製造を説明するための図であり、（ａ）は、製造フローを示す図であり、（ｂ）は、第一の中間製造物の構成を示す断面模式図である。
【図４】実施形態１に係る積層フィルムの第二の中間製造物の製造を説明するための図であり、（ａ）は、製造フローを示す図であり、（ｂ）は、第二の中間製造物の構成を示す断面模式図である。
【図５】第一及び第二の中間製造物から実施形態１に係る積層フィルムを製造する製造フローを示す図である。
【図６】貼り合わせ方法（Ａ−１）における積層フィルムの初期形状を示した平面模式図である。
【図７】貼り合わせ方法（Ａ−１）における積層フィルムの固定台への固定方法を示した断面模式図である。
【図８】貼り合わせ方法（Ａ−１）における打ち抜き直後の積層フィルムを構成する各フィルムの平面形状を示した図である。
【図９】貼り合わせ方法（Ａ−１）における前処理後の積層フィルムを構成する各フィルムの平面形状を示した図である。
【図１０】貼り合わせ方法（Ａ−１）における第一のセパレーターフィルムを取り除く方法を示した図である。
【図１１】貼り合わせ方法（Ａ−１）における異物除去用フィルムと第二のセパレーターフィルムとを剥離する状態を示した図である。
【図１２】貼り合わせ方法（Ａ−１）における異物除去用フィルム及び第二のセパレーターフィルムを引き抜く際に用いる引き出し棒を示した図である。
【図１３】貼り合わせ方法（Ａ−１）における一体化した異物除去用フィルム及び第二のセパレーターフィルムに引き出し棒を取り付ける様子を示した図である。
【図１４】貼り合わせ方法（Ａ−１）における異物除去用フィルム及び第二のセパレーターフィルムを引き抜く様子を示した模式図である。
【図１５】貼り合わせ方法（Ａ−１）における光学フィルムが基材に貼り付けられた直後の状態を示した図である。
【図１６】貼り合わせ方法（Ａ−１）における基材に貼り付けられた光学フィルムの最終状態を示した図である。
【図１７】貼り合わせ方法（Ａ−２）における打ち抜き直後の積層フィルムを構成する各フィルムの平面形状を示した図である。
【図１８】貼り合わせ方法（Ａ−２）における前処理後の積層フィルムを構成する各フィルムの平面形状を示した図である。
【図１９】貼り合わせ方法（Ａ−２）における第一のセパレーターフィルムを取り除く方法を示した図である。
【図２０】貼り合わせ方法（Ａ−２）における異物除去用フィルム及び第二のセパレーターフィルムを引き抜く様子を示した模式図である。
【図２１】貼り合わせ方法（Ａ−３）における引き抜き前の積層フィルムを構成する各フィルムの平面形状を示した図である。
【図２２】貼り合わせ方法（Ａ−３）において、異物除去用フィルム及び第二のセパレーターフィルムを引き抜く様子を示した模式図である。
【図２３】貼り合わせ方法（Ｂ）に用いられるフィルムの構成を示した断面模式図である。
【図２４】貼り合わせ方法（Ｂ）に用いられるフィルムの構成を示した平面模式図である。
【図２５】貼り合わせ方法（Ｂ）におけるフィルムの固定方法を示した図である。
【図２６】表面に凹凸がない基材に対する積層フィルムの貼り付けを示した説明図である。
【図２７】表面に凹凸がある基材に対する積層フィルムの貼り付けを示した説明図である。
【図２８】実施形態３に係るクッション層を備える積層フィルムの一例を示した断面模式図である。
【図２９】実施形態３に係るクッション層を備える積層フィルムの別の一例を示した断面模式図である。
【図３０】異物除去用粘着層によって積層フィルムを基材へ貼り合わせた状態を示す説明図である。
【図３１】光学フィルムの基材への貼り合わせが完了した状態を示す説明図である。
【図３２】従来の液晶表示装置の一般的な構成を示した断面模式図である。
【図３３】実施形態４の液晶表示装置の構成を示した断面模式図である。
【図３４】曲面基板への貼り合わせ治具の構成を説明する側面模式図である。
【図３５】実施例１の積層フィルムの断面を示した模式図である。
【図３６】従来の積層フィルムの貼り付け方法を示した断面模式図である。
【発明を実施するための形態】
【００２５】
［用語の定義］
本明細書において、「フィルム」は、その厚さによって限定されるものではなく、「シート」と呼ばれるものであってもよい。
【００２６】
粘着層の粘着力の値は、貼り付け対象や測定方法によって変化するが、本明細書では、粘着層の粘着力の値を評価する場合には、実際の貼り付け対象に関わらず、無アルカリガラスからなる基板を貼り付け対象として用い、以下の測定方法によって得られた値を用いる。但し、易剥離処理が施された表面に対する粘着層の粘着力の値を評価する場合には、同様の易剥離処理が表面に施された無アルカリガラスからなる基板を用いる。なお、粘着力の絶対値は、貼り付け対象によって変化するが、粘着力の大小関係は変化しない傾向がある。
（粘着力の測定方法）
水平に固定した基板上に、幅２５ｍｍの短冊状の粘着層付きのフィルムを貼り付ける。このとき、フィルムの一端は基板に貼り付けないようにする。引っ張り試験機（剥離試験治具）のチャックによって基板に貼り付けなかったフィルムの一端を挟み、９０度剥離試験（引張り速度０．３ｍ／ｍｉｎ）を行う。
【００２７】
以下、図面を参照しながら本発明の実施形態及び実施例を説明するが、本発明は、以下の実施形態及び実施例に限定されるものではない。また、各実施形態及び実施例の構成は、本発明の要旨を逸脱しない範囲において適宜組み合わされてもよいし、変更されてもよい。なお、各実施形態において、同様の機能を発揮する部材には同じ符号を付している。
【００２８】
［実施形態１］
（１）積層フィルムの構成
図１は、実施形態１に係る積層フィルムを示した断面模式図である。実施形態１に係る積層フィルム１０は、第一のセパレーターフィルム（第一の表面保護フィルム）１１と、異物除去用粘着層１２と、異物除去用フィルム１３と、一体化用粘着層１４と、第二のセパレーターフィルム（第二の表面保護フィルム）１５と、基材貼り付け用粘着層１６と、光学フィルム（機能性フィルム）１７と、が順に設けられた構成を有する。基材への貼り付け時には、光学フィルム１７が積層フィルム１０の最上部に位置する。なお、光学フィルム１７の基材貼り付け用粘着層１６が設けられていない側の表面上に、粘着層、及び、表面保護フィルムが積層されていてもよい。
【００２９】
第一のセパレーターフィルム１１は、使用前の異物除去用粘着層１２の表面を保護するものである。第一のセパレーターフィルム１１としては特に限定されず、例えば、ＰＥＴ（ポリエチレンテレフタレート）フィルム、ＰＥＮ（ポリエチレンナフタレート）フィルム、アクリルフィルム、ＣＯＰ（シクロオレフィンポリマー）フィルム等の一般的なフィルムを使用できる。
【００３０】
異物除去用粘着層１２は、貼り合わせの対象である基材の表面にある異物を吸着するためのものであり、基材貼り付け用粘着層１６と比べて粘着力が格段に弱いことが好ましい。異物除去用粘着層１２の材料としては、微粘着に分類される粘着材料が好適であり、具体的には、ＰＦ−ＡＮ４２２、ＰＦ−ＡＮ４７４（以上、リンテック社製）、ＺＢＯ−０４２１（藤森工業社製）等が挙げられる。異物除去用粘着層１２の粘着力としては、０．０５〜１Ｎ／２５ｍｍ幅であることが好ましい。０．０５Ｎ／２５ｍｍ幅未満であると、被着物が剥がれやすいため、作業性が悪くなる。１Ｎ／２５ｍｍ幅を超えると、一体化用粘着層１４及び基材貼り付け用粘着層１６よりも粘着力が強くなることがあり、第一のセパレーターフィルム１１を剥離し難くなる。
【００３１】
異物除去用フィルム１３は、異物除去用粘着層１２を支持するためのものである。異物除去用粘着層１２と異物除去用フィルム１３とは一体的に取り扱われ、異物除去用フィルム１３の貼り付け及び剥離は、同時に異物除去用粘着層１２の貼り付け及び剥離を意味する。異物除去用フィルム１３としては特に限定されず、例えば、ＰＥＴ（ポリエチレンテレフタレート）フィルム、ＰＥＮ（ポリエチレンナフタレート）フィルム、アクリルフィルム、ＣＯＰ（シクロオレフィンポリマー）フィルム等の一般的なフィルムを使用できる。異物除去用フィルム１３は、着色されていてもよい。着色されていると識別しやすいので、貼り付け作業時に、他のフィルムと混同して剥離してしまう恐れが少ない。また、異物除去用フィルム１３は、最終的に基材１００上から除去されるフィルムであることから、着色による不利益はない。
【００３２】
一体化用粘着層１４は、積層フィルム１０において異物除去用フィルム１３と光学フィルム１７とを一体化する役割を有するものであり、基材貼り付け用粘着層１６と比べて粘着力が格段に弱いことが好ましい。一体化用粘着層１４の材料としては、微粘着に分類される粘着材料が好適であり、具体的には、ＰＦ−ＡＮ４２２、ＰＦ−ＡＮ４７４（以上、リンテック社製）、ＺＢＯ−０４２１（藤森工業社製）等が挙げられる。一体化用粘着層１４の粘着力としては、０．０５〜１Ｎ／２５ｍｍ幅であることが好ましい。０．０５Ｎ／２５ｍｍ幅未満であると、被着物が剥がれやすいため、作業性が悪くなる。１Ｎ／２５ｍｍ幅を超えると、基材貼り付け用粘着層１６よりも粘着力が強くなることがあり、異物除去用フィルム１３を剥離し難くなる。
【００３３】
第二のセパレーターフィルム１５は、使用前の基材貼り付け用粘着層１６の表面を保護するものである。第二のセパレーターフィルム１５が設けられることによって、基材への貼り合わせに用いられる基材貼り付け用粘着層１６の表面をできるだけ異物が存在する雰囲気に晒さないようにすることができる。第二のセパレーターフィルム１５としては特に限定されず、例えば、ＰＥＴ（ポリエチレンテレフタレート）フィルム、ＰＥＮ（ポリエチレンナフタレート）フィルム、アクリルフィルム、ＣＯＰ（シクロオレフィンポリマー）フィルム等の一般的なフィルムを使用できる。第二のセパレーターフィルム１５は、着色されていてもよい。着色されていると識別しやすいので、貼り付け作業時に、他のフィルムと混同して剥離してしまうおそれが少ない。また、第二のセパレーターフィルム１５は、最終的に基材１００上から除去されるフィルムであることから、着色による不利益はない。異物除去用フィルム１３及び第二のセパレーターフィルム１５の両方が着色される場合には、互いに異なる色であることが好ましい。
【００３４】
基材貼り付け用粘着層１６は、光学フィルム１７を基材に対して貼り付けるための粘着層である。基材貼り付け用粘着層１６と光学フィルム１７とは一体的に取り扱われ、光学フィルム１７の貼り付け及び剥離は、同時に基材貼り付け用粘着層１６の貼り付け及び剥離を意味する。基材貼り付け用粘着層１６の材料としては、基材に強固に粘着する材料が好適であり、具体的には、ＭＯ３０１４（藤森工業社製）、ＭＣＦ−４６４、ＮＣＦ−６１９（以上、リンテック社製）等が挙げられる。基材貼り付け用粘着層１６の粘着力は、異物除去用粘着層１２及び一体化用粘着層１４の粘着力よりも強力であり、具体的には１〜３０Ｎ／２５ｍｍ幅であることが好ましい。１Ｎ／２５ｍｍ幅未満であると、下層である異物除去用粘着層１２及び一体化用粘着層１４の粘着力よりも小さくなるため、第一のセパレーターフィルム１１の剥離等の際に作業性が悪くなる。３０Ｎ／２５ｍｍ幅を超えると、被着物を剥がしにくく、作業性が悪くなる。
【００３５】
また、第二のセパレーターフィルム１５の基材貼り付け用粘着層１６側の表面には、易剥離処理がなされており、そのため、基材貼り付け用粘着層１６は、第二のセパレーターフィルム１５との接合強度よりも光学フィルム１７との接合強度が強い。
【００３６】
光学フィルム１７としては、光学的機能を有するフィルムであれば特に限定されず、例えば、反射防止フィルム、防眩フィルム、位相差フィルムが挙げられる。光学フィルム１７の構造は特に限定されず、凹凸形状を表面に有してもよいし、積層構造を有してもよい。凹凸形状を構成する構造体（突起）としては、例えば、円錐状のナノ構造体が挙げられる。凹凸形状を表面に有する光学フィルム１７の具体例としては、モスアイ（蛾の目）状の表面構造を有するモスアイフィルムが挙げられる。積層構造を有する光学フィルムの具体例１７としては、住友３Ｍ社製のＤＢＥＦシリーズが挙げられる。光学フィルム１７の材料としては、ＰＥＴ（ポリエチレンテレフタレート）、ＰＥＮ（ポリエチレンナフタレート）、アクリル、ＣＯＰ（シクロオレフィンポリマー）等が挙げられる。
【００３７】
以上で説明した実施形態１に係る積層フィルムによれば、図２に示した貼り合わせ方法を用いることによって、埃等の異物が浮遊した雰囲気中において、基材上に埃等の異物が存在している場合であっても、光学フィルム１７を基材に貼り合わせる際に、貼り合わせの界面に異物や気泡が入り込むことを防止できる。
【００３８】
（２）積層フィルムの貼り付け方法
図２は、実施形態１に係る積層フィルムを基材上に貼り付ける方法を説明するための断面模式図である。以下、図２に基づき、実施形態１に係る積層フィルムの貼り合わせの手順を説明する。
【００３９】
（手順１）位置合わせ
積層フィルム１０と基材１００との位置合わせを行う。この時点で、積層フィルム１０の端部の一辺を、テープ３０等の接続部材によって基材１００に貼り付け、積層フィルム１０を基材１００に対して固定してもよい。基材１００上に比較的大きな異物がある場合や、汚れが付着している場合には、積層フィルム１０の貼り付け前に基材１００の表面を清掃してもよい。なお、クリーンルーム中又は真空中のように人工的に異物が除去された環境以外では、通常、埃等の異物２００が空気中に浮遊しており、図２の（ａ）に示したように、貼り合わせ対象となる基材１００の表面にも異物２００が付着している。基材１００の種類は特に限定されず、例えば、ガラス板、樹脂フィルムが挙げられる。
【００４０】
（手順２）積層フィルム１０の貼り付け
第一のセパレーターフィルム１１を剥離し、異物除去用粘着層１２を露出させる。その状態で、図２の（ｂ）に示したように、積層フィルム１０を基材１００に貼り付ける。これによって、異物除去用粘着層１２と基材１００の表面とが密着し、基材１００の表面に付着していた異物２００が異物除去用粘着層１２に吸着される。上記（１）位置合わせの時点でテープ３０による固定を実施していないときには、積層フィルム１０の端部の一辺を、基材１００の積層フィルム１０が貼り付けられた領域の近傍にテープ３０によって貼り付け、積層フィルム１０を基材１００に対して固定する。テープ３０は、積層フィルム１０の最上部にある光学フィルム１７の端部に貼り付けられる。また、第一のセパレーターフィルム１１を剥離しながら、露出した異物除去用粘着層１２を順次ローラーで押しつけ、基材１００への貼り付けを行うことが望ましい。これによって、基材１００の表面と異物除去用粘着層１２との間に気泡が入ることを防止できるので、基材１００の表面全体から異物２００を適切に除去することができる。
【００４１】
（手順３）異物除去用フィルム１３と光学フィルム１７の分離
異物除去用フィルム１３上を押さえた状態で、第二のセパレーターフィルム１５を上方に引き上げることにより、図２の（ｃ）に示したように、異物除去用フィルム１３と第二のセパレーターフィルム１５とを引き剥がす。これによって、積層フィルム１０は、Ｖ字状に開いた状態になる。また、図２の（ｃ）では、一体化用粘着層１４は第二のセパレーターフィルム１５側にあるが、異物除去用フィルム１３上に残ってもよい。
【００４２】
（手順４）異物除去用フィルム１３の除去及び光学フィルム１７の貼り付け
まず、異物除去用フィルム１３の端部及び第二のセパレーターフィルム１５の端部をテープ３０から剥がす。次に、２枚のフィルム１３、１５のテープ３０側の端部を、基材１００と光学フィルム１７の間の領域から同時に引っ張り出しつつ、貼り合わせローラー４１によって、基材１００に光学フィルム１７を順次押しつける。これによって、基材１００と基材貼り付け用粘着層１６とが密着し、図２の（ｄ）に示したように、基材１００の表面に、基材貼り付け用粘着層１６を介して、光学フィルム１７が貼り付けられる。なお、２枚のフィルム１３、１５のテープ３０側の端部を、基材１００と光学フィルム１７の間の領域から同時に引っ張り出すことについては、後述する引き出し棒等の治具を用いれば、簡単に行うことができる。
【００４３】
異物除去用フィルム１３を引き剥がすことで、基材１００上の異物２００は取り除かれ、基材１００の表面が清浄な状態となって露出する。また、第二のセパレーターフィルム１５が引き剥がされることで、基材貼り付け用粘着層１６が露出する。そして、貼り合わせ界面に異物が入ることを防止するため、基材１００の表面が露出した後直ちに、基材貼り付け用粘着層１６を貼り付ける。貼り合わせ界面に異物が入ることを防止しつつ、光学フィルム１７の貼り付けを連続的に行うためには、異物除去用粘着層１２及び第二のセパレーターフィルム１５の剥離は、異物除去用フィルム１３及び第二のセパレーターフィルム１５を巻き取りローラーにより巻き取ることによって行われ、かつ基材貼り付け用粘着層１６の密着は、貼り付けローラーにより押し当てることによって行われることが好ましい。貼り合わせ界面に異物が入ることを極力防止するためには、２枚のフィルム１３、１５を引き剥がす速度（フィルムの巻き取り速度）と貼り合わせローラー４１の移動速度（フィルムの貼り付け速度）を同じにすることが好ましい。光学フィルム１７の貼り付けを連続的に行う観点からは、２枚のフィルム１３、１５を引き剥がす速度が、貼り合わせローラー４１の移動速度と同じか、より速ければよい。
【００４４】
本実施形態では、光学フィルム１７をテープ３０によって固定した状態で貼り合わせを行うことから、正確に異物２００を除去した領域に光学フィルム１７を貼り付けることができる。更に、異物２００が除去された領域は、異物除去用フィルム１３を引き剥がした後に光学フィルム１７によって覆われるので、光学フィルム１７の貼り付け前に、周囲から埃等の異物が付着することも防止される。
【００４５】
（手順５）テープの除去
最後に、テープ３０を取り外せば、図２の（ｄ）に示したように、光学フィルム１７の基材１００への貼り付けが完了する。
【００４６】
以上の貼り付け方法によれば、一般的な室内環境中であっても、異物２００や気泡が貼り合わせの界面に混入することなく、光学フィルム１７を基材１００に貼り付けることができる。また、従来の石鹸水を用いる貼り合わせ方法とは異なり、液体を使用しない乾式の貼り合せ方法であるので、作業時間を大幅に短縮でき、周辺を汚すことも防止できる。更に、光学フィルム１７の貼り付けの精度についても、異物除去用フィルム１３及び第二のセパレーターフィルム１５を取り除く際に、治具（詳細については後述する）を使用することで高精度化を達成できる。
【００４７】
（３）積層フィルムの製造方法
実施形態１に係る積層フィルム１０の製造方法は特に限定されず、例えば、ロール・トゥー・ロール法を用いることができる。ロール・トゥー・ロール法を用いて実施形態１に係る積層フィルムを製造する方法を、図３〜５を参照して説明する。図３は、実施形態１に係る積層フィルムの第一の中間製造物の製造を説明するための図であり、（ａ）は、製造フローを示す図であり、（ｂ）は、第一の中間製造物の構成を示す断面模式図である。図４は、実施形態１に係る積層フィルムの第二の中間製造物の製造を説明するための図であり、（ａ）は、製造フローを示す図であり、（ｂ）は、第二の中間製造物の構成を示す断面模式図である。図５は、第一及び第二の中間製造物から実施形態１に係る積層フィルムを製造する製造フローを示す図である。
【００４８】
まず、第一のセパレーターフィルム１１と異物除去用フィルム１３を異物除去用粘着層１２によって貼り合わせた第一の中間製造物１８を製造する。図３の（ａ）に示したように、ローラー７１が回転することによって、ロール状に巻き取られた第一のセパレーターフィルム１１が、ローラー７４及び７５を備えるラミネーターに順次送り出される。同様に、ローラー７２が回転することによって、ロール状に巻き取られた異物除去用フィルム１３がラミネーターに順次送り出される。ラミネーターの手前で、粘着材供給装置７３から、異物除去用フィルム１３の一方の面に、異物除去用粘着層１２の材料となる粘着材が塗布される。粘着材は乾燥及び／又は硬化され、異物除去用粘着層１２が形成される。ラミネーターでは、合流した第一のセパレーターフィルム１１と異物除去用フィルム１３とが、ローラー７４及び７５によって圧着される。このとき、異物除去用フィルム１３は、異物除去用粘着層１２が形成された側の面を第一のセパレーターフィルム１１に向けている。圧着によって第一のセパレーターフィルム１１、異物除去用粘着層１２及び異物除去用フィルム１３が一体化され、図３の（ｂ）に示した第一の中間製造物１８となる。フィルム状の第一の中間製造物１８はローラー７６によって一旦巻き取られる。
【００４９】
次に、第二のセパレーターフィルム１５と光学フィルム１７を基材貼り付け用粘着層１６によって貼り合わせた第二の中間製造物１９を製造する。図４の（ａ）に示したように、ローラー８１が回転することによって、ロール状に巻き取られた第二のセパレーターフィルム１５が、ローラー８４及び８５を備えるラミネーターに順次送り出される。同様に、ローラー８２が回転することによって、ロール状に巻き取られた光学フィルム１７がラミネーターに順次送り出される。ラミネーターの手前で、粘着材供給装置８３から、光学フィルム１７の一方の面に、基材貼り付け用粘着層１６の材料となる粘着材が塗布される。粘着材は乾燥及び／又は硬化され、基材貼り付け用粘着層１６が形成される。ラミネーターでは、合流した第二のセパレーターフィルム１５と光学フィルム１７とが、ローラー８４及び８５によって圧着される。このとき、光学フィルム１７は、基材貼り付け用粘着層１６が形成された側の面を第二のセパレーターフィルム１５に向けている。圧着によって第二のセパレーターフィルム１５、基材貼り付け用粘着層１６及び光学フィルム１７が一体化され、図４の（ｂ）に示した第二の中間製造物１９となる。フィルム状の第二の中間製造物１９はローラー８６によって一旦巻き取られる。
【００５０】
最後に、第一の中間製造物１８と第二の中間製造物１９を一体化用粘着層１４によって貼り合わせることによって、実施形態１に係る積層フィルム１０が完成する。図５に示したように、ローラー７６が回転することによって、ロール状に巻き取られた第一の中間製造物１８が、ローラー９４及び９５を備えるラミネーターに順次送り出される。同様に、ローラー８６が回転することによって、ロール状に巻き取られた第二の中間製造物１９がラミネーターに順次送り出される。ラミネーターの手前で、粘着材供給装置９３から、第二の中間製造物１９の第二のセパレーターフィルム１５が設けられた側の面に、一体化用粘着層１４の材料となる粘着材が塗布される。粘着材は乾燥及び／又は硬化され、一体化用粘着層１４が形成される。ラミネーターでは、合流した第一の中間製造物１８と第二の中間製造物１９とが、ローラー９４及び９５によって圧着される。圧着時には、第一の中間製造物１８の第一のセパレーターフィルム１１が設けられた面と、第二の中間製造物１９の一体化用粘着層１４が形成された側の面とを密着させる。圧着によって第一の中間製造物１８、一体化用粘着層１４及び第二の中間製造物１９が一体化され、図１に示した積層フィルム１０が完成する。その後、積層フィルム１０はローラー９６によって巻き取られる。
【００５１】
以上の製造方法で用いられた各フィルムには、市販品を用いることができる。また、第一の中間製造物１８又は第二の中間製造物１９と同様の構成を有する市販品が存在する場合には、それを用いて、図３又は図４に示した工程は省略してもよい。
【００５２】
各フィルムの厚さは、２０μｍ以上、１００μｍ以下が好ましい。強度を確保するために一定の厚さが必要であるが、薄い方が扱いやすく、厚いと巻き取りにくくなる。
【００５３】
また、第一の中間製造物１８中の異物除去用フィルム１３の一体化用粘着層１４が貼り付けられる側の面には、一体化用粘着層１４との接合強度を低下させるための表面処理が施されることが好ましい。上記表面処理としては、例えば、フッ素化合物、珪素化合物等の粘着材が付き難い材料によって表面を被覆する処理が挙げられる。
【００５４】
［実施形態２］
実施形態２では、積層フィルムの貼り合わせ方法に関して、より具体的な説明を行う。
【００５５】
１．貼り合わせ方法（Ａ−１）
以下、図６〜図１６を参照しつつ、貼り合わせ方法（Ａ−１）を説明する。図６は、貼り合わせ方法（Ａ−１）における積層フィルムの初期形状を示した平面模式図である。最初に、図１に示した断面構造の積層フィルム１０を打ち抜いて、図６に示した初期形状とする。初期形状の積層フィルム１０において、第一のセパレーターフィルム１１、異物除去用フィルム１３、第二のセパレーターフィルム１５及び光学フィルム１７は、同じ形状を有している。以下では、積層フィルム１０の初期形状を、光学フィルム１７の初期形状に基づき説明する。初期形状の光学フィルム１７は帯状であり、その長手方向に沿って、図６の左側から順に、第一の引っ張り部分（引っ張り用延伸部）１７１、貼り付け部（本体部）１７０、第二の引っ張り部分（引っ張り用延伸部）１７２が設けられている。第二の引っ張り部分１７２がテープ３０等の接続部材による位置決めが行われる側に相当する。
【００５６】
第一の引っ張り部分１７１と貼り付け部１７０の境界、及び、貼り付け部１７０と第二の引っ張り部１７２の境界には、フィルムの長手方向に対して垂直な方向に沿って、スリット（切断用スリット）１７６、１７７が設けられている。このスリット１７６、１７７は、フィルムの使用後に切断するためのガイドである。第二の引っ張り部１７２を引っ張った際に光学フィルム１７に皺が入ることを防止する観点からは、スリット１７７のうち、貼り付け部１７０と第二の引っ張り部１７２の境界のスリットについては設けなくてもよい。
【００５７】
第一の引っ張り部分１７１は、引っ張った際に均一なテンションが掛かりやすいように、貼り付け部１７０よりも細く形成されている部分である。貼り付け部１７０は、基材１００上に貼り付ける部分に相当する。第二の引っ張り部分１７２は、第一の引っ張り部分１７１同様に、貼り付け部１７０よりも細く形成されている部分である。第二の引っ張り部分１７２にはスリット１７８が形成されている。第二のセパレーターフィルム１５及び異物除去用フィルム１３には、光学フィルム１７のスリット１７８と対応する位置に、スリット１３８、１５８が形成されており、第二のセパレーターフィルム１５及び異物除去用フィルム１３をまとめて引き出すために用いられる。すなわち、異物除去用フィルム１３のスリット１３８に、第二のセパレーターフィルム１５の第二の引っ張り部分１５２を通す、又は、第二のセパレーターフィルム１５のスリット１５８に、異物除去用フィルム１３の第二の引っ張り部分１３２を通すことで、２枚のフィルム１３、１５を一体化して剥離することができる。
【００５８】
また、初期形状の光学フィルム１７には、第二の引っ張り部分１７２と平行に伸びる延伸部１７３が、第二の引っ張り部分１７２の両側にそれぞれ設けられている。この２つの延伸部１７３には、それぞれ位置決め用の開口１７９が形成されている。図７は、貼り合わせ方法（Ａ−１）における積層フィルムの固定台への固定方法を示した断面模式図である。図７に示したように、位置決め用の開口１７９に対して、固定台１０２の位置決めピン１０２ａを挿入させることによって、積層フィルム１０の位置を固定台１０２上で固定することができる。
【００５９】
その後、積層フィルム１０を構成する各フィルム１１、１３、１５、１７は、それぞれ所望の形状に加工される。加工に伴う各フィルム１１、１３、１５、１７の形状の変化を図８、９、１５、１６に示した。これらの図において、（ａ）は光学フィルム、（ｂ）は第二のセパレーターフィルム、（ｃ）は異物除去用フィルム、（ｄ）は第一のセパレーターフィルムを示している。
【００６０】
各フィルム１１、１３、１５、１７は個別に加工されたり、２枚のフィルム１３、１５が組み合わせて処理されることから、使用者が各フィルム１１、１３、１５、１７を識別しやすいように、積層フィルム１０を構成する各フィルム１１、１３、１５、１７は、互いに異なる色に着色されてもよい。また、着色することによって、積層フィルム１０の使用方法の説明においても便利である。第二のセパレーターフィルム１５、異物除去用フィルム１３、第一のセパレーターフィルム１１は使用後に廃棄されるので、着色しても支障がない。一方、光学フィルム１７は、光学特性に影響するので着色することは好ましくない。
【００６１】
図８は、貼り合わせ方法（Ａ−１）における打ち抜き直後の積層フィルムを構成する各フィルムの平面形状を示した図である。図９は、貼り合わせ方法（Ａ−１）における前処理後の積層フィルムを構成する各フィルムの平面形状を示した図である。前処理において、第二のセパレーターフィルム１５、異物除去用フィルム１３及び第一のセパレーターフィルム１１は、はさみ等の切断具によってスリット１１７、１３７、１５７に沿って切断され、位置決めピン１１９、１３９、１５９が形成された延伸部１１３、１３３、１５３が除去される。一方で、第二の引っ張り部分（引っ張り用延伸部）１１２、１３２、１５２は残される。また、光学フィルム１７は、第二の引っ張り部分１７２が除去される。前処理後に、積層フィルム１０は、図７に示した固定台１０２上に固定される。
【００６２】
図１０は、貼り合わせ方法（Ａ−１）における第一のセパレーターフィルムを取り除く方法を示した図である。図１０に示したように、第一のセパレーターフィルム１１の第二の引っ張り部分１１２を貼り付け部１１０側に向かって下へ折り曲げ、積層フィルム１０の下側（基材１００側）から第一のセパレーターフィルム１１を引き抜くように引っ張る。同時に、貼り合わせローラー４１によって積層フィルム１０の貼り合わせを行う。その結果、第一のセパレーターフィルム１１が取り除かれた状態で、積層フィルム１０が基材１００上に貼り付けられる。
【００６３】
図１１は、貼り合わせ方法（Ａ−１）における異物除去用フィルムと第二のセパレーターフィルムとを剥離する状態を示した図である。基材１００上に貼り付けた後、積層フィルム１０は、第二のセパレーターフィルム１５及び光学フィルム１７のみを上方に引っ張り、異物除去用フィルム１３と第二のセパレーターフィルム１５とを剥離する。その後、第二のセパレーターフィルム１５及び異物除去用フィルム１３のうちの一方のスリット１３８又は１５８に、他方の第二の引っ張り部分１３２又は１５２を通すことで、２枚のフィルム１３、１５を一体化して剥離する。貼り付け前の光学フィルム１７の下方に異物２００が入り込むことを防止する観点から、異物除去用フィルム１３と第二のセパレーターフィルム１５とは同じ方向に引っ張ることが好ましい。
【００６４】
図１２は、貼り合わせ方法（Ａ−１）における異物除去用フィルム及び第二のセパレーターフィルムを引き抜く際に用いる引き出し棒を示した図である。図１３は、貼り合わせ方法（Ａ−１）における一体化した異物除去用フィルム及び第二のセパレーターフィルムに引き出し棒を取り付ける様子を示した図である。図１２に示したような、棒の先端に両面テープ１９２を取り付けた引き出し棒１９１を、剥離された異物除去用フィルム１３と第二のセパレーターフィルム１５との間に差し込む。そして、図１３に示したように、一体化された第二のセパレーターフィルム１５及び異物除去用フィルム１３に両面テープ１９２を貼り付ける。図１３では、第二のセパレーターフィルム１５に両面テープ１９２を貼り付けているが、異物除去用フィルム１３に両面テープ１９２を貼り付けてもよい。
【００６５】
棒の材質は特に限定されず、例えば、金属、樹脂等が挙げられる。また、棒の形状は特に限定されず、例えば、薄い板状のものを用いることができる。
【００６６】
図１４は、貼り合わせ方法（Ａ−１）における異物除去用フィルム及び第二のセパレーターフィルムを引き抜く様子を示した模式図である。図１４に示したように、引き出し棒１９１を引っ張って一体化された第二のセパレーターフィルム１５及び異物除去用フィルム１３を引き抜きつつ、貼り付けローラー４１によって光学フィルム１７を基材１００に貼り付ける。
【００６７】
図１５は、貼り合わせ方法（Ａ−１）における光学フィルムが基材に貼り付けられた直後の状態を示した図である。図１６は、貼り合わせ方法（Ａ−１）における基材に貼り付けられた光学フィルムの最終状態を示した図である。図１５、１６ともに、（ａ）は平面図、（ｂ）は断面図である。図１５に示したように、基材１００への貼り付け直後の光学フィルム１７は、第二の引っ張り部１７２が切断されている点で初期形状と異なる。その後、第一の引っ張り部１７１及び２つの延伸部１７３が切断され、図１６に示した形状となる。
【００６８】
２．貼り合わせ方法（Ａ−２）
以下、図１７〜図２０を参照しつつ、貼り合わせ方法（Ａ−２）を説明する。
最初に、図１に示した断面構造の積層フィルム１０を打ち抜いて、図６に示した初期形状とする。初期形状は、貼り合わせ方法（Ａ−１）と同じである。
【００６９】
図６に示した初期形状に切り出された積層フィルム１０を構成する各フィルム１１、１３、１５、１７は、それぞれ所望の形状に加工される。加工に伴う各フィルム１１、１３、１５、１７の形状の変化を図１７〜図２０に示した。これらの図において、（ａ）は光学フィルム、（ｂ）は第二のセパレーターフィルム、（ｃ）は異物除去用フィルム、（ｄ）は第一のセパレーターフィルムを示している。
【００７０】
図１７は、貼り合わせ方法（Ａ−２）における打ち抜き直後の積層フィルムを構成する各フィルムの平面形状を示した図である。図１８は、貼り合わせ方法（Ａ−２）における前処理後の積層フィルムを構成する各フィルムの平面形状を示した図である。前処理において、第二のセパレーターフィルム１５、異物除去用フィルム１３及び第一のセパレーターフィルム１１は、はさみ等の切断具によってスリット１１７、１３７、１５７に沿って切断され、位置決めピン１１９、１３９、１５９が形成された第二の引っ張り部分１１２、１３２、１５２が除去される。また、光学フィルム１７は、第二の引っ張り部分１７２が除去される。
【００７１】
図１９は、貼り合わせ方法（Ａ−２）における第一のセパレーターフィルムを取り除く方法を示した図である。図１９に示したように、第一のセパレーターフィルム１１の第二の引っ張り部分１１２を貼り付け部１１０側に向かって下へ折り曲げ、積層フィルム１０の下側（基材１００側）から第一のセパレーターフィルム１１を引き抜くように引っ張る。同時に、貼り合わせローラー４１によって積層フィルム１０の貼り合わせを行う。その結果、第一のセパレーターフィルム１１が取り除かれた状態で、積層フィルム１０が基材１００上に貼り付けられる。ここで、貼り合わせ方法（Ａ−２）では、引き出し棒１９１を用いて第一のセパレーターフィルム１１の引き抜きを行う。
【００７２】
異物除去用フィルム１３と第二のセパレーターフィルム１５の剥離は、貼り合わせ方法（Ａ−１）と同様に行われる。
【００７３】
図２０は、貼り合わせ方法（Ａ−２）における異物除去用フィルム及び第二のセパレーターフィルムを引き抜く様子を示した模式図である。先端に両面テープ１９２を取り付けた引き出し棒１９１を、剥離された異物除去用フィルム１３と第二のセパレーターフィルム１５との間に差し込む。そして、図２０に示したように、一体化された第二のセパレーターフィルム１５及び異物除去用フィルム１３に両面テープ１９２を貼り付ける。そして、引き出し棒１９１を引っ張って一体化された第二のセパレーターフィルム１５及び異物除去用フィルム１３を引き抜きつつ、貼り付けローラーによって光学フィルム１７を基材１００に貼り付ける。
【００７４】
ここで、貼り合わせ方法（Ａ−２）では、第二のセパレーターフィルム１５及び異物除去用フィルム１３を一体化する手法が貼り合わせ方法（Ａ−１）と異なっている。すなわち、第二のセパレーターフィルム１５及び異物除去用フィルム１３を、それぞれ内側に折り返して、異物除去用粘着層１２によって両者を一体化する。このとき、別途、両面テープ、糊等の接着材料を使用してもよいし、一体化用粘着層１４を活用してもよい。その後、剥離された異物除去用フィルム１３と第二のセパレーターフィルム１５との間に引き出し棒１９１を差し込み、両フィルム１３、１５の接合部分に、引き出し棒１９１の先端の両面テープ１９２を接着させる。そして、両フィルム１３、１５を引き出しながら、貼り付け用ローラーで押さえつけることで、光学フィルム１７を基材１００に貼り付けることができる。最後に、光学フィルム１７の第一の引っ張り部１７１及び２つの延伸部１７３が切断され、光学フィルム１７の貼り付けが完了する。
【００７５】
３．貼り合わせ方法（Ａ−３）
以下、図２１及び２２を参照しつつ、貼り合わせ方法（Ａ−３）を説明する。貼り合わせ方法（Ａ−３）は、引き出し棒による異物除去用フィルム１３及び第二のセパレーターフィルム１５の引き抜き方法以外は、貼り合わせ方法（Ａ−１）と同様である。
【００７６】
図２１は、貼り合わせ方法（Ａ−３）における引き抜き前の積層フィルムを構成する各フィルムの平面形状を示した図である。図２１に示したように、異物除去用フィルム１３及び第二のセパレーターフィルム１５の引っ張り部分１３２、１５２に、それぞれ引き抜き用の開口１３８ａ、１５８ａを設け、貼り合わせ方法（Ａ−１）又は（Ａ−２）の方法によって、異物除去用フィルム１３と第二のセパレーターフィルム１５とを引っ張り部分１３２、１５２同士で貼り合わせたときに、両フィルム１３、１５の開口１３８ａ、１５８ａが重なるようにする。
【００７７】
図２２は、貼り合わせ方法（Ａ−３）において、異物除去用フィルム及び第二のセパレーターフィルムを引き抜く様子を示した模式図である。図２２に示したように、貼り合わせ方法（Ａ−３）では、先端に鉤部（フック）１９１ａを有する引き出し棒１９１を用い、異物除去用フィルム１３及び第二のセパレーターフィルム１５の開口１３８ａ、１５８ａに鉤部１９１ａを引っ掛ける。この状態で、両フィルム１３、１５を引き抜きながら、貼り付け用ローラーで押さえつけることで、光学フィルム１７を基材１００に貼り付けることができる。
【００７８】
先端に鉤部１９１ａを有する引き出し棒１９１としては、例えば、先端をＪ字型に加工した金属線、弾性率の高い一軸延伸ポリチオフェン、ＰＯＭ（ポリオキシメチレン）等の一軸延伸体、ＰＥＴ、ＰＥＮ、アクリル、ポリスチレン、ポリオレフィン等の２軸延伸体、未延伸シートを使うことができる。また、これらの複合材料を使用してもよい。引き出し棒１９１の本体構造は、フィルム状の短冊形状であってもよい。この場合、フィルム状の引き出し棒１９１本体の先端に、鉤部１９１ａを別途取り付ける。
【００７９】
４．貼り合わせ方法（Ｂ）
上記した貼り合わせ方法（Ａ−１）〜（Ａ−３）では、引っ張り部分（左右２つ）と位置固定用の２つの延伸部や、四角形でないための打ち抜きしろ等の最終的に利用されない領域がある。光学フィルム１７等の材料が高価なものである場合には、最終的に利用されない廃棄部分をできるだけ少なくすることが望ましい。以下に説明する貼り合わせ方法（Ｂ）によれば、最終的に利用されない廃棄部分を少なくすることができる。
【００８０】
図２３は、貼り合わせ方法（Ｂ）に用いられるフィルムの構成を示した断面模式図であり、図２４は、貼り合わせ方法（Ｂ）に用いられるフィルムの構成を示した平面模式図である。貼り合わせ方法（Ｂ）における積層フィルム１０ａは、第一のセパレーターフィルム１１と、異物除去用粘着層１２と、異物除去用フィルム１３と、一体化用粘着層１４と、第二のセパレーターフィルム１５と、基材貼り付け用粘着層１６と、光学フィルム１７と、粘着層３１とが順に設けられ、更に、第一のセパレーターフィルム１１の側から全体を覆うように、第三のセパレーターフィルム３２が設けられた構成を有する。積層フィルム１０ａは、第三のセパレーターフィルム３２を除いて、表示画面に合せて四角形に切り出されており、光学フィルム１７側には、第一の引っ張り部分等の外周部の代わりとなる貼り付けリードフィルム６０が貼り付けられている。この貼り付けリードフィルム６０は、貼り合わせ方法（Ａ−１）〜（Ａ−３）で最終的に切断除去される外周部と類似する構造を有するものであり、具体的には、第一の引っ張り部分６１及び延伸部６３を有する。なお、貼り付けリードフィルム６０は使用後に光学フィルム１７から剥離すればよいので、切断するためのスリットは設けられていない。
【００８１】
異物除去用フィルム１３及び第二のセパレーターフィルム１５を引き抜く際には、板状をした先端の両面にそれぞれ両面テープを取り付けた引き出し棒、又は、先端に鉤部（フック）を有する引き出し棒を用いることができる。両面テープを取り付けた引き出し棒を用いる場合、例えば、異物除去用フィルム１３及び第二のセパレーターフィルム１５をそれぞれ端から約５ｍｍのところまで剥離し、異物除去用フィルム１３の剥離部分に、引き出し棒の先端の一方の面に取り付けられた両面テープを貼り付け、第二のセパレーターフィルム１５の剥離部分に、他方の面に取り付けられた両面テープを貼り付け、その後、引き出し棒を引っ張ることによって、異物除去用フィルム１３及び第二のセパレーターフィルム１５を同時に引き抜くことができる。引き抜く方向は特に限定されず、貼り付けリードフィルム６０の延伸方向に平行な方向であってもよいし、積層フィルム１０ａの対角方向であってもよい。
【００８２】
図２５は、貼り合わせ方法（Ｂ）におけるフィルムの固定方法を示した図である。貼り付けリードフィルム６０の延伸部６３の表面には粘着材が形成されている。図２５に示したように、延伸部６３表面の粘着材と固定台１０２の突起部１０２ｂとを粘着させることによって、貼り付けリードフィルム６０を固定することができる。粘着材による固定であることから、延伸部６３に設けた開口にピンを挿入する場合に比べて、延伸部６３の打ち抜きを高精度に行う必要がない。また、貼り付けリードフィルム６０は単層構造なので、精度よく打ち抜きすることが容易である。
【００８３】
図２３に示したように、出荷時点では、第一のセパレーターフィルム１１の側から、第三のセパレーターフィルム３２を被せて、積層フィルム１０及び貼り付けリードフィルム６０の粘着材が露出した部分を覆う。これによって、貼り付けリードフィルム６０が処理中に、作業台にくっ付いたり、他のフィルムにくっ付いたりするトラブルを防止できる。
【００８４】
貼り合わせ方法（Ｂ）では、貼り合わせ方法（Ａ）のように切断処理が必要なく、貼り付けリードフィルム６０を剥離するだけでよいので、貼り合わせ作業が簡単である。したがって、図２３及び図２４に示した状態でユーザーに出荷しても、光学フィルム１７の端面をきれいに加工することができるという利点がある。
【００８５】
［実施形態３］
実施形態３では、表面（外周のカバー部分）に段差を有する基材に対して、機能性フィルムを貼り付ける場合について説明する。表面に段差を有する基材としては、表示部の周囲にフレーム部（外枠）を備える表示装置が挙げられる。このような表示装置では、表示部とフレーム部の境界に段差があり、矩形状の表示部の周囲４辺がいずれも段差となっている場合もある。特に、ノートパソコンの画面、モニター、テレビ等の中型〜大型の表示装置において、段差が存在することが多い。図２６に示したように、表示部（前面板であってもよい）１００Ａの上面とフレーム部１００Ｂの上面との間に段差がなく、表面に凹凸がない基材については、貼り合わせローラー１４１で押さえつけることによって実施形態１の積層フィルムを貼り付けることは容易である。しかしながら、図２７に示したように、基材の外周に出っ張りが存在すると、実施形態１の積層フィルムのシート構成では、押しつける積層フィルムの厚さよりも外周の出っ張りの高さの方が大きくなる。貼り合わせローラー１４１の幅は、一般的に、押しつける基材の幅よりも広いため、外周の出っ張りがあると、貼り合わせローラー１４１が当たり、ワークの表面を押さえつけることができずに、貼り付けがうまくいかない場合がある。図２６は、表面に凹凸がない基材に対する積層フィルムの貼り付けを示した説明図であり、図２７は、表面に凹凸がある基材に対する積層フィルムの貼り付けを示した説明図である。
【００８６】
実施形態３の積層フィルムは、表面に凹凸がある基材に対して機能性フィルムを貼り付けるために、実施形態１の光学フィルム（機能性フィルム）１７の、基材貼り付け用粘着層１６と接する側とは反対側に、弾性体からなるクッション層（緩衝層）を有する。図２８は、実施形態３に係るクッション層を備える積層フィルムの一例を示した断面模式図であり、図２９は、実施形態３に係るクッション層を備える積層フィルムの別の一例を示した断面模式図である。図２８の積層フィルム２１は、光学フィルム１７の一方の面に粘着層２６を介してクッション層２７が直接積層された構成を有する。図２９の積層フィルム２２は、光学フィルム１７の一方の面に粘着層２８を介してセパレーターフィルム２９が積層され、更にセパレーターフィルム２９の粘着層２８とは反対側に、粘着層２６を介してクッション層２７が積層された構成を有する。
【００８７】
上記クッション層２７は、柔軟性を有し、かつ剥離したときにフィルム形状を維持できる程度の硬さを有するものが好適である。クッション層２７の材質としては、樹脂材料の発泡体が好適であり、樹脂材料としては、ウレタン系樹脂、ブタジエン系樹脂等が好適に用いられる。クッション層２７としては、例えば、日本発条社製のウレタンフォーム（商品名：ニッパレイ、５ｍｍ厚）を用いることができる。
【００８８】
上記クッション層２７の厚みは、基材表面に存在する段差の大きさに応じて適宜設定され、光学フィルム１７を基材１００へ貼り合わせたときにクッション層２７がフレーム部１００Ｂの上端（基材表面の段差の上端）から突出することが好ましい。すなわち、図３０に示した異物除去用粘着層１２によって積層フィルムを基材１００へ貼り合わせた状態ではなく、その後に基材１００の表面から異物除去用粘着層１２を剥離するとともに基材貼り付け用粘着層１６を密着させ、図３１に示した光学フィルム１７の基材１００への貼り合わせが完了した状態となったときに、光学フィルム１７、粘着層２８及びクッション層２７の厚みの合計（図２８の場合）又は光学フィルム１７、粘着層２８、セパレーターフィルム２９、粘着層２６及びクッション層２７の厚みの合計（図２９の場合）が、フレーム部１００Ｂの厚みを超えることが好ましい。図３０は、異物除去用粘着層によって積層フィルムを基材へ貼り合わせた状態を示す説明図であり、図３１は、光学フィルムの基材への貼り合わせが完了した状態を示す説明図である。また、光学フィルム１７を基材１００へ貼り合わせたときにクッション層２７の５０％以上がフレーム部１００Ｂの上端から突出する構造となるように設計されることがより好ましい。クッション層２７は、通常、基材貼り付け用粘着層１６、光学フィルム１７、粘着層２６、粘着層２８及びセパレーターフィルム２９と比べたときに最も厚く設計され、例えば、０．５ｍｍ〜１０ｍｍ程度に設定される。また、上記粘着層２６及び２８の材質としては、光学材料に適した粘着材料を使用することが好ましい。
【００８９】
図２８の形態では上記光学フィルム１７以下の各層、図２９の形態では上記セパレーターフィルム２９以下の各層を、基材１００の貼り付け部のサイズに応じて裁断し、貼り合わせずれを考慮した糊代を残しつつ、上記各層のサイズよりも少し小さく裁断されたクッション層２７を貼り合わせる。製品のロールが大きくなるが、ロール・トゥー・ロールで作製した後で、クッション層２７を同時に裁断してもよい。
【００９０】
ディスプレイ（シャープ社製：モニターディスプレイＬＬ−１７１Ｇ−Ｗ）を使用して、貼り合わせ実験を行った。光学フィルム１７等のフィルムのカッティングは、周囲よりそれぞれ３ｍｍ内側とした。フレーム部１００Ｂとディスプレイの段差は、約２ｍｍであった。貼り合わせ時には、積層フィルムが約＋３．５ｍｍ外枠よりも上方に、はみ出していた。貼り合わせローラーで圧力を掛けたときにはクッション層２７を通して光学フィルム１７に圧力が伝わり、異物混入なく、また、貼り合わせ圧力不足によるムラや気泡の抱き込みもなく、貼り合わせができた。
【００９１】
［実施形態４］
実施形態４では、フレーム部（外枠）が段差を形成している表示装置の形態について、液晶表示装置を例示して説明する。
【００９２】
図３２は、従来の液晶表示装置の一般的な構成を示した断面模式図である。図３２に示したように、従来の液晶表示装置では、液晶パネル３００の表示面とフレーム部１００Ｂとの境界に段差が形成されており、液晶パネル３００の観察面側の画像表示領域に、偏光板３０１を介して積層された光学フィルム３０２Ａは、液晶パネル３００の画像表示領域に対応して開口されたフレーム部１００Ｂの開口部分よりも大きくされており、光学フィルム３０２Ａの端面がフレーム部１００Ｂの開口部分に位置しないように設計されている。このような構成では、光学フィルム３０２Ａを交換する際にフレーム部１００Ｂを取り外す必要があり、フレーム部１００Ｂを破壊することが必要になる場合もあった。
【００９３】
図３３は、実施形態４の液晶表示装置の構成を示した断面模式図である。図３３の構成では、フレーム部１００Ｂの突出部分の頂部と液晶パネル３００の表面との間に、例えば、０．１〜２０ｍｍの高さの段差が形成されている。そして、フレーム部１００Ｂの開口部の幅をＡと定義し、開口部内に配置された光学フィルム３０２Ｂの幅をＢと定義したときに、Ａ−Ｂ＞０の関係を満たすように、液晶パネル３００の最表面に光学フィルム３０２Ｂが配置されている。このような構成とすることによって、外枠１００Ｂを外すことなく光学フィルム３０２Ｂを貼り替えすることができる。その結果、液晶パネル３００の表面に取り付けた光学フィルム３０２Ｂが損傷した場合に交換することや、液晶パネル３００の表面に取り付けた光学フィルム３０２Ｂを随時最先端の光学フィルムに交換することが容易になる。貼り替えられる光学フィルムとしては、表面の特性を制御するものが特に好適である。例えば、モスアイ（蛾の目）構造を有するフィルム、ＡＲフィルム、ＬＲフィルム等の低反射フィルム、防眩（ＡＧ）フィルム、偏光板、円偏光板、防汚フィルム、ハードコート（ＨＣ）フィルム、ＳＡＭフィルム等の任意の光学フィルムにおいて、貼り替えを簡易化することができる。なお、実施形態４の表示装置としては、液晶表示装置を例示したが、有機ＥＬ表示装置（ＯＬＥＤ）、ＭＥＭＳ（Ｍｉｃｒｏ  Ｅｌｅｃｔｒｏ−Ｍｅｃｈａｎｉｃａｌ  Ｓｙｓｔｅｍ＝微小電子機械システム）シャッター方式の表示装置等の薄型表示装置（ＦＤＰ）であってもよく、タッチパネル付きの表示装置であってもよい。特に、ＯＬＥＤのように、内部反射が大きく、外光に弱い表示装置には、λ／４板と偏光板の組み合わせを設けることによって、内部反射を効果的に抑制できる。
【００９４】
［実施形態５］
実施形態５では、基材の貼り付け面が曲面である場合のフィルム貼り付け方法について説明する。フィルムの貼り付けには、一般的にシリコン系微粘着材料からなる弱粘着層が使用される。このシリコン系の弱粘着層は、粘（接）着力が弱いものの、界面から空気を押し出すと密着状態となり、特に平坦なガラス板への貼り付けには適しているが、貼り付け面が曲面の場合には、フィルムの弾性力のために、端部から剥離が生じてしまう。また、高分子（樹脂材料）の表面や、凹凸表面を有するフィルム（例えば、ＡＧフィルム）の表面等に貼り付けた場合にも、剥離が生じてしまう。樹脂材料の場合、弱いＣ−Ｈ結合の多い、ハイドロホービックな表面では、粘着材料の密着力が低下する。微粘着材料は、密着力が低い設計であるため、少しの密着力の低下が、剥離へとつながる。凹凸表面では、微粘着材料の変形量が少なく凹凸に追随できないため、気泡を引き込みやすくなり、応力の掛り易い、周辺部分から剥離が始まる。
【００９５】
これに対して、強粘着層を用いれば、剥離を抑制することができる。一方で、強粘着層を用いると、貼り直しが困難であるため、貼り付け時に異物を噛み込むと除去することができない。特に、モバイル機器で貼り付け不良となると、ガラス基板が薄いため、リペアすることが特に困難である。そこで、本発明の積層フィルムを使用することで、異物の混入を防止しつつ、機能性フィルムの貼り付けに強粘着層を用いることができる。したがって、本発明の積層フィルムによれば、曲面への貼り付けを可能にすることができる。
【００９６】
本発明の積層フィルムを用いた曲面への貼り付けを可能にすることができる。曲面への貼り付けプロセスは、基本的には、実施形態１と同様であるが、図３４に示した貼り合わせ治具が好適に用いられる。図３４は、曲面基板への貼り合わせ治具の構成を説明する側面模式図である。図３４に示したように、貼り合わせ治具は、曲面貼り合わせロール１４２と円柱形状の支持ドラム１４３とが対向して配置された構造を有する。曲面貼り合わせロール１４２は、スプリング等の弾性体、又は、ピストンと結合されており、一定圧力で上下（図３４中の矢印方向）に駆動する。また、支持ドラム１４３上には、フィルムの貼り付け対象であるカーブドディスプレイ（Ｃｕｒｖｅｄ  Ｄｉｓｐｌａｙ）等の曲面基板１４４が配置される。支持ドラム１４３は、曲面基板１４４の曲率に合わせて選択されるが、調整用の治具を用いて両者の曲率の差を解消してもよい。フィルムの貼り付けは、支持ドラム１４３上に曲面基板１４４を配置した状態で、異物除去用フィルム１３及び光学フィルム１７を含む積層フィルムを、曲面貼り合わせロール１４２と支持ドラム１４３との間に通すことでおこなわれる。
【００９７】
なお、図３４の貼り合わせ治具を用いる場合、支持ドラム１４３及び曲面基板１４４の曲率は、３０ｍｍφ以上であることが好ましい。上記曲率が３０ｍｍφ未満であると、貼り合わせ後のフィルムが剥離するおそれがある。例えば、上記曲率が３０ｍｍφ未満とされた厚さ８０μｍのトリアセチルセルロース（ＴＡＣ）層上に、強粘着剤（リンテック社製、ＭＯ３０１４）を貼り付け、４０℃で２４時間保管した場合に、光学フィルム１７の端部に剥がれが生じた。
【００９８】
［実施例１］
実施例１として、実施形態１に係る積層フィルムを実際に製造した例を示す。図３５は、実施例１の積層フィルムの断面を示した模式図である。実施例１の積層フィルムは、図３５に示した構成を有し、各層の材質及び厚さは、以下のとおりである。
第一のセパレーターフィルム１１：ＰＥＴフィルム、厚さ３８μｍ
異物除去用粘着層１２：藤森工業社製、（商品名）ＴＦＢ−４Ｔ３−３６７ＡＳ、厚さ２５μｍ
異物除去用フィルム１３：ＰＥＴフィルム、厚さ３８μｍ
一体化用粘着層１４：藤森工業社製、（商品名）ＺＢＯ−０４２１、厚さ２１μｍ
第二のセパレーターフィルム１５：ＰＥＴフィルム、厚さ３８μｍ
基材貼り付け用粘着層１６：リンテック社製、（商品名）ＭＯ３０１４、厚さ５０μｍ
光学フィルム１７：モスアイフィルム、厚さ７０μｍ
粘着層３１：モスアイフィルム用粘着剤（リンテック社製）、厚さ２５μｍ
保護フィルム３３：ＰＥＴフィルム、厚さ１００μｍ
【００９９】
第一のセパレーターフィルム１１、異物除去用フィルム１３、第二のセパレーターフィルム１５及び保護フィルム３３としては、いずれもＰＥＴフィルムを用いた。ＰＥＴフィルムは、ＰＥＮフィルム、ＣＯＰフィルムに比べて、光学特性でやや劣るが、機械強度に優れており、かつ工業的に量産されていることから、光学特性があまり要求されないフィルムには特に適している。
（ＰＥＴフィルムの特性）
引張り強度：２００〜２９０ＭＰｓ
透過率：８９％
ヘイズ：２〜３％
（ＰＥＮフィルムの特性）
引張り強度：２００〜２９０ＭＰｓ
透過率：８９％
ヘイズ：２〜３％
（ＣＯＰフィルムの特性）
引張り強度：６０〜８０ＭＰｓ
透過率：９２％
ヘイズ：０．１％以下
【０１００】
モスアイフィルムは、アクリレート系光硬化性樹脂からなる上層部分とトリアセチルセルロース（ＴＡＣ）からなる下層部分を有する積層体である。上層部分の表面には、高さ２００ｎｍの突起が２００ｎｍ間隔で設けられており、モスアイ（蛾の目）状の表面構造となっている。光学素子用のフィルムの材質は用途に合わせて選択されるが、透過率の高いＴＡＣフィルム（透過率９２％）が好適である。耐水性、耐熱性を高めるために、ＣＯＰフィルム等を使ってもよい。
【０１０１】
実施例１の積層フィルムにおける各層の粘着力は以下のとおりであった。なお、粘着力の値は、貼り付け対象に無アルカリガラスからなる基板を用い、以下の測定方法によって測定した。但し、第二のセパレーターフィルム１５の基材貼り付け用粘着層１６側の表面には、易剥離処理がなされていたことから、基材貼り付け用粘着層１６の粘着力の値は、同様の易剥離処理が表面に施された無アルカリガラスからなる基板を用いて測定された。下記において、粘着力の単位は、Ｎ／２５ｍｍ幅である。また、複数のサンプルを測定したため、粘着力の値は範囲によって示した。
異物除去用粘着層１２（第一のセパレーターフィルム１１との界面）：０．１５〜０．２５
一体化用粘着層１４（異物除去用フィルム１３との界面）：０．３〜０．４
基材貼り付け用粘着層１６（第二のセパレーターフィルム１５との界面）：１〜２
粘着層３１（光学フィルム１７との界面）：０．１〜０．２
【０１０２】
（粘着力の測定方法）
水平に固定した基板上に、幅２５ｍｍの短冊状の粘着層付きのフィルムを貼り付けた。このとき、フィルムの一端は基板に貼り付けないようにした。引っ張り試験機（剥離試験治具）のチャックによって基板に貼り付けなかった一端を挟み、９０度剥離試験（引張り速度０．３ｍ／ｍｉｎ）を行った。
【０１０３】
なお、実施例１の積層フィルムは、下のフィルムから順に剥がしていくので粘着力は、異物除去用粘着層１２＜一体化用粘着層１４＜基材貼り付け用粘着層１６の順序であることが工程上好ましい。また、異物除去用粘着層１２の粘着力が強すぎると作業性が低下するので、異物除去用粘着層１２は、粘着性のない、反応が充分に完了した樹脂等を使って、易剥離型の粘着層とすることが好ましい。
【０１０４】
また、第二のセパレーターフィルム１５の上側表面に易剥離処理がなされていたため、基材貼り付け用粘着層１６は、第二のセパレーターフィルム１５との接合強度よりも光学フィルム１７との接合強度が強いものであった。
【０１０５】
なお、光学フィルム１７と保護フィルム３３の接合強度は、光学フィルム１７によって異なるが、例えば、ピッチ１００〜２００ｎｍの凹凸が設けられたモスアイ型構造を有するフィルムでは、接合強度が非常に低くなる。しかしながら、実施形態２に示した貼り合わせ方法を使用する場合には、光学フィルム１７は、ピン又は粘着材料で固定されるため保護フィルム３３には力が加わらず、保護フィルム３３が貼り付け作業中に剥げることは充分に抑制できる。
【０１０６】
以上の実施形態及び実施例では、機能性フィルムとして光学フィルムの例を挙げたが、本発明においては、機能性フィルムの種類は特に限定されない。機能性フィルムとしては、例えば、携帯機器等の表示装置の表面に貼り付けられる光学フィルム、保護フィルムの他、建材、ショーケース等の用途で用いられる保護フィルム、装飾フィルム等が挙げられる。
【０１０７】
本発明に好適な光学フィルムとしては、下記（１）〜（７）のフィルムが挙げられ、下記（１）〜（７）のフィルムを２つ以上組み合わせて用いてもよい。なお、本発明は、高価な機能性フィルムで、歩留まりが悪い機能性フィルムに適用することが好ましい。
（１）反射防止フィルム
反射防止フィルムとしては、モスアイ（蛾の目）構造を有するフィルム、低屈折率の薄膜を積層して形成されたフィルム等が挙げられる。モスアイ構造を有するフィルムは、複数の突起が１００ｎｍ〜数百ｎｍのピッチ及び高さで配置された構造を有し、空気層との界面で屈折率を連続的に変化させることによって界面反射を防止する機能を発揮するものである。
（２）円偏光板
液晶パネルの表面に円偏光板を配置することで、外部から液晶パネルに入射して液晶パネルの内部で反射された光が、外部に出射することを防止できる。すなわち、表示画面における外光の映り込みを防止できる。その理由は、液晶パネル内部で反射された偏光は、位相差がλ／２変化することによって偏光状態が９０度旋回し、円偏光板によって遮断されるためである。上記（１）の反射防止フィルムと組み合わせると、表面反射及び内部反射の両方を抑制でき、表示品位の向上に効果的である。
（３）防汚性、耐擦傷性改善フィルム
撥水撥油膜が塗布されたものが挙げられる。撥水撥油膜としては、例えば、フッ素ポリマーを可溶化して塗布乾燥して得られた膜、フッ素系側鎖を有する分子を反応基によって基板の表面に化学結合させたシロキサン系材料からなる膜、フッ素系のモノマー、オリゴマーを重合して得られる低表面張力の表面を有する膜が挙げられる。市販品としては、例えば、可溶性のフッ素ポリマーのサイトップ（旭硝子社製）、フッ素化合物の離型処理剤であるフロロサーフ（フロロサーフ社製）等が挙げられる。
（４）ＳＡＭフィルム
直進光を微細構造の楔状の斜面構造で、全方位に拡散させる広視野角フィルムである。
（５）フィルムタッチパネル
ロール状で貼り合わせ、粘着剤の塗工まで終わってからフィルムを分断することで、加工歩留まりを改善することができる。これは、貼り合わせの際に、フィルムが厚くなることで適度な強度が得られるためである。特に、サイネージ用のような大型サイズの表示装置に貼り付ける場合に、歩留りの改善効果が大きい。
（６）クリーンルームが使えない用途のフィルム
建材用の光学フィルム（飛散防止フィルム、熱線カットフィルム、防汚性フィルム、防眩（ＡＧ）フィルム、耐傷性フィルム、防曇フィルム等）については、現状は水洗して、水貼りで対応しているが、異物の混入が避けられず、また、水の使用による現場での養生の手間もかかる。本発明のフィルム構造又はフィルム貼り付け方法を用いれば、水の使用が不要であり、クリーンルーム外であっても、異物の混入を充分に防止できる。
（７）薄板ガラス（特に前面板）
ロール状で張り合わせ、粘着剤塗工まで終わってからフィルムを分断することで、加工歩留まりを改善することができる。貼り合せの際に、フィルムが厚くなることで適度な強度が得られるため、割れにくくなる。
【０１０８】
［付記］
以下に、本発明の積層フィルムの好ましい態様の例を挙げる。各例は、本発明の要旨を逸脱しない範囲において適宜組み合わされてもよい。
【０１０９】
上記第二の表面保護フィルムは、上記基材貼り付け用粘着層と接する界面に、粘着力を低下させる表面処理がなされていることが好ましい。表面処理としては、例えば、コーティングが挙げられる。
【０１１０】
上記異物除去用フィルム及び上記第二の表面保護フィルムの少なくとも一方は、着色されていることが好ましい。上記異物除去用フィルム及び上記第二の表面保護フィルムの両方が着色されていることがより好ましい。上記異物除去用フィルム及び上記第二の表面保護フィルムは、互いに異なる色に着色されていることが更に好ましい。
【０１１１】
上記異物除去用フィルム及び上記第二の表面保護フィルムの少なくとも一方は、本体部、及び、引っ張り用延伸部を有し、該引っ張り用延伸部には開口部が形成されていることが好ましい。上記異物除去用フィルム及び上記第二の表面保護フィルムの両方が、本体部、及び、引っ張り用延伸部を有し、該引っ張り用延伸部には開口部が形成されていることがより好ましい。開口部は、上記異物除去用フィルム及び上記第二の表面保護フィルムの他方を挿入し、両フィルムを一体化させるためのもの（スリット）であってもよいし、引き出し棒の鉤部（フック）を引っ掛けるための穴であってもよい。
【０１１２】
上記機能性フィルムは、光学フィルムであることが好ましい。光学フィルムとしては、例えば、モスアイ（蛾の目）構造を有するフィルムが挙げられる。
【０１１３】
上記機能性フィルムは、保護フィルムであることが好ましい。また、上記機能性フィルムは、光学フィルムと保護フィルムを兼ねるものであってもよい。
【０１１４】
上記積層フィルムは、更に、上記機能性フィルムの上記基材貼り付け用粘着層と接する側とは反対側に、緩衝層を有するものであってもよい。
【０１１５】
以下に、本発明のフィルム貼り付け方法の好ましい態様の例を挙げる。各例は、本発明の要旨を逸脱しない範囲において適宜組み合わされてもよい。
【０１１６】
上記手順（５）において、上記異物除去用粘着層及び上記第二の表面保護フィルムの剥離は、上記異物除去用フィルム及び上記第二の表面保護フィルムを巻き取りローラーにより巻き取ることによって行われ、かつ上記基材貼り付け用粘着層の密着は、貼り付けローラーにより押し当てることによって行われることが好ましい。
【０１１７】
上記異物除去用フィルム及び上記第二の表面保護フィルムの巻き取り速度（剥離速度）は、上記機能性フィルムの貼り付け速度と同じ、又は、より速いことが好ましい。
【０１１８】
上記異物除去用フィルム及び上記第二の表面保護フィルムは、同じ方向に、同じ速度で引っ張られることが好ましい。
【０１１９】
上記異物除去用フィルム及び上記第二の表面保護フィルムは、剥離時に一体化されることが好ましい。
【０１２０】
上記異物除去用フィルムと上記第二の表面保護フィルムとは、一方のフィルムに形成されたスリットに、他方のフィルムを差し込むことによって一体化されることが好ましい。
【０１２１】
上記異物除去用フィルムと上記第二の表面保護フィルムとは、粘着層を介した貼り合わせによって一体化されることが好ましい。
【０１２２】
上記異物除去用フィルムと上記第二の表面保護フィルムとは、各々のフィルムの対応する位置に形成された開口に、引き出し棒の鉤部を引っ掛けることによって一体化されることが好ましい。
【０１２３】
上記手順（５）において、先端に粘着部材が取り付けられた引き出し棒を用いることが好ましい。また、先端に鉤部が設けられた引き出し棒を用いることも好ましい。
【０１２４】
上記基材は、曲面形状を有するものであり、上記手順（２）において、円柱形状を有する支持ドラム上に上記基材を配置し、上記支持ドラムに対向して配置された貼り合わせローラーと上記支持ドラムとの間に、上記積層フィルムを通過させることよって、上記基材に対して上記積層フィルムを貼り付けるものであってもよい。
【０１２５】
本発明の更に別の一態様は、画像表示領域を備えた表示パネルと、上記表示パネルの最表面に配置された光学フィルムと、上記表示パネルの最表面よりも突出した部分を有する外枠とを有し、上記光学フィルムは、上記画像表示領域を覆い、上記外枠は、上記光学フィルムが配置された領域全体を露出させる開口部を有する表示装置であってもよい。
【符号の説明】
【０１２６】
１０、１０ａ、２１、２２：積層フィルム
１１：第一のセパレーターフィルム 
１２：異物除去用粘着層
１３：異物除去用フィルム
１４：一体化用粘着層
１５：第二のセパレーターフィルム
１６：基材貼り付け用粘着層
１７：光学フィルム
１８：第一の中間製造物
１９：第二の中間製造物
２６、２８：粘着層
２７：クッション層（緩衝層）
２９：セパレーターフィルム
３０：テープ
３１：粘着層
３２：第三のセパレーターフィルム
３３：保護フィルム
４１、１４１、２４１：貼り合わせローラー
６０：貼り付けリードフィルム
６１：第一の引っ張り部分
６３：延伸部
７１、７２、７４、７５、７６、８１、８２、８４、８５、８６、９４、９５、９６：ローラー
７３、８３、９３：粘着材供給装置
１００：基材
１００Ａ：表示部
１００Ｂ：フレーム部（外枠）
１０２：固定台
１０２ａ：位置決めピン
１１０、１７０：貼り付け部
１１１、１３１、１５１、１７１：第一の引っ張り部分
１１２、１３２、１５２、１７２：第二の引っ張り部分
１１３、１３３、１５３、１７３：延伸部
１１６、１１７、１１８、１３６、１３７、１３８、１５６、１５７、１５８、１７６、１７７、１７８：スリット
１１９、１３８ａ、１３９、１５８ａ、１５９、１７９：開口
１４２：曲面貼り合わせロール
１４３：支持ドラム
１４４：曲面基板
１９１：引き出し棒
１９１ａ：鉤部（フック）
１９２：両面テープ
２００：異物
２１１：セパレーターフィルム
２１６：粘着層
２１７：光学フィルム
３００：液晶パネル
３０１：偏光板
３０２Ａ、３０２Ｂ：光学フィルム
【図１】
2015125811.tif 000003
【図２】
2015125811.tif 000004
【図３】
2015125811.tif 000005
【図４】
2015125811.tif 000006
【図５】
2015125811.tif 000007
【図６】
2015125811.tif 000008
【図７】
2015125811.tif 000009
【図８】
2015125811.tif 000010
【図９】
2015125811.tif 000011
【図１０】
2015125811.tif 000012
【図１１】
2015125811.tif 000013
【図１２】
2015125811.tif 000014
【図１３】
2015125811.tif 000015
【図１４】
2015125811.tif 000016
【図１５】
2015125811.tif 000017
【図１６】
2015125811.tif 000018
【図１７】
2015125811.tif 000019
【図１８】
2015125811.tif 000020
【図１９】
2015125811.tif 000021
【図２０】
2015125811.tif 000022
【図２１】
2015125811.tif 000023
【図２２】
2015125811.tif 000024
【図２３】
2015125811.tif 000025
【図２４】
2015125811.tif 000026
【図２５】
2015125811.tif 000027
【図２６】
2015125811.tif 000028
【図２７】
2015125811.tif 000029
【図２８】
2015125811.tif 000030
【図２９】
2015125811.tif 000031
【図３０】
2015125811.tif 000032
【図３１】
2015125811.tif 000033
【図３２】
2015125811.tif 000034
【図３３】
2015125811.tif 000035
【図３４】
2015125811.tif 000036
【図３５】
2015125811.tif 000037
【図３６】
2015125811.tif 000038
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
第一のセパレーターフィルムと、
異物除去用粘着層と、
異物除去用フィルムと、
一体化用粘着層と、
第二のセパレーターフィルムと、
基材貼り付け用粘着層と、
機能性フィルムと、を順に有し、
前記基材貼り付け用粘着層は、前記第二のセパレーターフィルムとの接合強度よりも前記機能性フィルムとの接合強度が強い
ことを特徴とする積層フィルム。
【請求項２】
第一のセパレーターフィルムと、
異物除去用粘着層と、
異物除去用フィルムと、
一体化用粘着層と、
第二のセパレーターフィルムと、
基材貼り付け用粘着層と、
機能性フィルムと、を順に有し、
前記基材貼り付け用粘着層の粘着力は、前記異物除去用粘着層の粘着力及び前記一体化用粘着層の粘着力よりも強力である
ことを特徴とする積層フィルム。
【請求項３】
前記第二のセパレーターフィルムは、前記基材貼り付け用粘着層と接する界面に、粘着力を低下させる表面処理がなされていることを特徴とする請求項１又は２記載の積層フィルム。
【請求項４】
前記基材貼り付け用粘着層の粘着力は、１〜３０Ｎ／２５ｍｍ幅であることを特徴とする請求項１〜３のいずれかに記載の積層フィルム。
【請求項５】
前記異物除去用粘着層の粘着力は、０．０５〜１Ｎ／２５ｍｍ幅であることを特徴とする請求項１〜４のいずれかに記載の積層フィルム。
【請求項６】
前記一体化用粘着層の粘着力は、０．０５〜１Ｎ／２５ｍｍ幅であることを特徴とする請求項１〜５のいずれかに記載の積層フィルム。
【請求項７】
前記異物除去用フィルム及び前記第二のセパレーターフィルムの少なくとも一方は、着色されていることを特徴とする請求項１〜６のいずれかに記載の積層フィルム。
【請求項８】
前記異物除去用フィルム及び前記第二のセパレーターフィルムの少なくとも一方は、本体部、及び、引っ張り用延伸部を有し、該引っ張り用延伸部には開口部が形成されていることを特徴とする請求項１〜７のいずれかに記載の積層フィルム。
【請求項９】
前記機能性フィルムは、光学フィルムであることを特徴とする請求項１〜８のいずれかに記載の積層フィルム。
【請求項１０】
前記機能性フィルムは、保護フィルムであることを特徴とする請求項１〜８のいずれかに記載の積層フィルム。
【請求項１１】
前記積層フィルムは、更に、前記機能性フィルムの前記基材貼り付け用粘着層と接する側とは反対側に、緩衝層を有することを特徴とする請求項１〜１０のいずれかに記載の積層フィルム。
【請求項１２】
請求項１〜１１のいずれかに記載の積層フィルムに設けられた機能性フィルムを、基材に対して貼り付けるフィルム貼り付け方法であって、
下記（１）〜（５）の手順を含むことを特徴とするフィルム貼り付け方法。
（１）前記積層フィルムから前記第一のセパレーターフィルムを剥離し、前記異物除去用粘着層を露出させる
（２）露出した前記異物除去用粘着層を前記基材の表面に密着させ、前記基材に対して前記積層フィルムを貼り付ける
（３）前記基材の前記積層フィルムが貼り付けられた領域の近傍と、前記積層フィルムの最上部の前記機能性フィルムの端部とを接続部材で接続する
（４）前記接続部材によって前記基材と前記機能性フィルムとを接続したまま、前記一体化用粘着層を、前記異物除去用フィルムから剥離する
（５）前記基材の表面から前記異物除去用粘着層を剥離しつつ、前記第二のセパレーターフィルムと前記基材貼り付け用粘着層とを剥離し、前記基材の表面及び前記基材貼り付け用粘着層を露出させ、露出した前記基材の表面及び前記基材貼り付け用粘着層を露出後直ちに密着させることによって、前記基材に対して前記機能性フィルムを貼り付ける
【請求項１３】
前記手順（５）において、前記異物除去用粘着層及び前記第二のセパレーターフィルムの剥離は、前記異物除去用フィルム及び前記第二のセパレーターフィルムを巻き取りローラーにより巻き取ることによって行われ、かつ前記基材貼り付け用粘着層の密着は、貼り付けローラーにより押し当てることによって行われることを特徴とする請求項１２記載のフィルム貼り付け方法。
【請求項１４】
前記異物除去用フィルム及び前記第二のセパレーターフィルムの巻き取り速度は、前記機能性フィルムの貼り付け速度と同じ、又は、より速いことを特徴とする請求項１３記載のフィルム貼り付け方法。
【請求項１５】
前記異物除去用フィルム及び前記第二のセパレーターフィルムは、同じ方向に、同じ速度で引っ張られることを特徴とする請求項１３又は１４記載のフィルム貼り付け方法。
【請求項１６】
前記異物除去用フィルム及び前記第二のセパレーターフィルムは、剥離時に一体化されることを特徴とする請求項１５記載のフィルム貼り付け方法。
【請求項１７】
前記異物除去用フィルムと前記第二のセパレーターフィルムとは、一方のフィルムに形成されたスリットに、他方のフィルムを差し込むことによって一体化されることを特徴とする請求項１６記載のフィルム貼り付け方法。
【請求項１８】
前記異物除去用フィルムと前記第二のセパレーターフィルムとは、粘着層を介した貼り合わせによって一体化されることを特徴とする請求項１６記載のフィルム貼り付け方法。
【請求項１９】
前記異物除去用フィルムと前記第二のセパレーターフィルムとは、各々のフィルムの対応する位置に形成された開口に、引き出し棒の鉤部を引っ掛けることによって一体化されることを特徴とする請求項１６記載のフィルム貼り付け方法。
【請求項２０】
前記手順（５）において、先端に粘着部材が取り付けられた引き出し棒を用いることを特徴とする請求項１２〜１９のいずれかに記載のフィルム貼り付け方法。
【請求項２１】
前記手順（５）において、先端に鉤部が設けられた引き出し棒を用いることを特徴とする請求項１２〜１９のいずれかに記載のフィルム貼り付け方法。
【請求項２２】
前記基材は、曲面形状を有するものであり、
前記手順（２）において、円柱形状を有する支持ドラム上に前記基材を配置し、前記支持ドラムに対向して配置された貼り合わせローラーと前記支持ドラムとの間に、前記積層フィルムを通過させることよって、前記基材に対して前記積層フィルムを貼り付けることを特徴とする請求項１２〜２１のいずれかに記載のフィルム貼り付け方法。
【国際調査報告】
2015125811.tif 000039
2015125811.tif 000040
2015125811.tif 000041
2015125811.tif 000042